(57)【要約】鉄心（１０）と、鉄心（１０）の内部に設けられた永久磁石（２０）とを備えるモーター回転子である。鉄心（１０）に鉄心の周方向に沿って複数組の装着溝（３０）が設けられ、各組の装着溝（３０）は鉄心（１０）の径方向に不連続的に設けられた２つ又は２つ以上の装着溝（３０）を含む。永久磁石（２０）は複数組あり、各組の永久磁石（２０）の中の各永久磁石（２０）は各組の装着溝（３０）の各装着溝（３０）に対応して嵌め込まれる。上記のモーター回転子を備えるモーターも開示される。このモーター回転子は、モーター回転子のリラクタンストルクを高めることで、モーターの出力トルク及びモーターの効率を向上させる。
2014522225.tif 000002
【特許請求の範囲】
【請求項１】
鉄心（１０）と、前記鉄心（１０）の内部に設けられた永久磁石（２０）とを備えるモーター回転子であって、
前記鉄心（１０）に前記鉄心（１０）の周方向に沿って複数組の装着溝（３０）が設けられ、各組の前記装着溝（３０）は前記鉄心（１０）の径方向に不連続的に設けられた２つ又は２つ以上の装着溝（３０）を含み、
前記永久磁石（２０）は複数組あり、各組の前記永久磁石（２０）の中の各永久磁石（２０）は各組の装着溝（３０）の各前記装着溝（３０）に対応して嵌め込まれることを特徴とするモーター回転子。
【請求項２】
各組の前記装着溝（３０）は、第１の装着溝と第２の装着溝とを含み、前記第１の装着溝と前記第２の装着溝に嵌め込まれる永久磁石（２０）はそれぞれ第１の永久磁石と第２の永久磁石であって、各組の前記永久磁石（２０）の中の各永久磁石（２０）の、前記永久磁石（２０）の対称線に沿う方向の厚みの和をＴとし、各永久磁石（２０）の、前記永久磁石（２０）の対称線に沿う方向の距離の和をｇとすると、
2014522225.tif 000011
であることを特徴とする請求項１に記載のモーター回転子。
【請求項３】
各組の前記装着溝（３０）は、第１の装着溝と、第２の装着溝と、第３の装着溝と、を含み、前記第１の装着溝、前記第２の装着溝、及び前記第３の装着溝に嵌め込まれる前記永久磁石（２０）はそれぞれ第１の永久磁石、第２の永久磁石、及び第３の永久磁石であって、各組の前記永久磁石（２０）の中の各永久磁石（２０）の、前記永久磁石（２０）の対称線に沿う方向の厚みの和をＴとし、各永久磁石（２０）の、前記永久磁石（２０）の対称線に沿う方向の距離の和をｇとすると、
2014522225.tif 000012
であることを特徴とする請求項１に記載のモーター回転子。
【請求項４】
各前記永久磁石（２０）の両端とそれが嵌め込まれる前記装着溝（３０）の両端との間に隙間が形成されていることを特徴とする請求項１乃至３のいずれか一つに記載のモーター回転子。
【請求項５】
前記永久磁石（２０）の両端と前記装着溝（３０）の両端との間の隙間に非透磁媒体が充填されていることを特徴とする請求項４に記載のモーター回転子。
【請求項６】
前記永久磁石（２０）の、前記回転子の軸線に垂直な横断面の中央の厚みは両端の厚みと同じ或いは両端より大きいことを特徴とする請求項１乃至３のいずれか一つに記載のモーター回転子。
【請求項７】
前記永久磁石（２０）の、前記回転子の軸線に垂直な横断面が矩形形状であることを特徴とする請求項６に記載のモーター回転子。
【請求項８】
前記装着溝（３０）の、前記回転子の軸線に垂直な断面がＵ字形形状であることを特徴とする請求項７に記載のモーター回転子。
【請求項９】
各組の前記永久磁石（２０）が、前記回転子の軸線に垂直な横断面がアーチ形の永久磁石を含むことを特徴とする請求項６に記載のモーター回転子。
【請求項１０】
各組の前記永久磁石（２０）の中の各永久磁石（２０）の、前記回転子の径方向に沿って回転子の中心に接近する表面がアーチ形の表面であることを特徴とする請求項９に記載のモーター回転子。
【請求項１１】
各組の前記永久磁石（２０）の中の各永久磁石（２０）がいずれも、前記横断面がアーチ形の永久磁石であることを特徴とする請求項９に記載のモーター回転子。
【請求項１２】
各組の前記永久磁石（２０）のうち、前記回転子の径方向に沿って最も外側に位置する前記永久磁石（２０）の、回転子の中心から遠ざかる表面が平面で、回転子の中心に接近する表面がアーチ形の表面であることを特徴とする請求項９に記載のモーター回転子。
【請求項１３】
各組の前記永久磁石（２０）において、各前記永久磁石（２０）のアーチ形の表面がいずれも、回転子の中心に向かって突出することを特徴とする請求項９に記載のモーター回転子。
【請求項１４】
各組の前記永久磁石（２０）において、各前記永久磁石（２０）のアーチ形の表面のうち、回転子の中心へ接近するアーチ形の表面ほど、弧度が大きくなることを特徴とする請求項９に記載のモーター回転子。
【請求項１５】
請求項１乃至１４のいずれか一つに記載のモーター回転子を備えることを特徴とするモーター。
【発明の詳細な説明】
【技術分野】
【０００１】
本発明は、モーター分野に関し、具体的に、モーター回転子及びそれを備えるモーターに関する。
【背景技術】
【０００２】
永久磁石同期モーター（ＩＰＭ）は、回転子の内側に一層の永久磁石を設けて、主に永久磁石トルクを利用し、リラクタンストルクを補助とするモーターである。
【０００３】
リラクタンストルクと永久磁石トルクとの合成式は、
2014522225.tif 000003
である。
ここで、Ｔはモーターの出力トルクで、Ｔの値を増加させると、モーターの性能が向上することができ、Ｔの後ろの等式中の一番目の項はリラクタンストルクで、二番目の項は永久磁石トルクで、ΨＰＭはモーターの永久磁石による固定子と回転子のカップリング磁束の最大値で、ｍは固定子導体の相数で、Ｌｄ、Ｌｑはそれぞれ、ｄ軸とｑ軸のインダクタンスで、その中、ｄ軸は主磁極軸線と重なる軸を指し、ｑ軸は主磁極軸線に垂直な軸を指し、ここで、垂直とは電気角を言い、ｉｄ、ｉｑはそれぞれ電機子電流のｄ軸、ｑ軸方向における量である。
【０００４】
従来、主に、永久磁石の性能を向上させることによってモーターの性能を向上させ、即ち、永久磁石トルクを増加させる方法で、合成トルクの値を増加し、モーターの効率を向上させており、その中、希土類永久磁石を内蔵することが常用の方法となっている。しかし、希土は非再生資源で、且つ、価格もかなり高いので、このようなモーターの更なる汎用が制限されている。なお、だた永久磁石の性能を向上させることによりモーターの性能を強くしても、モーターの効率をより一層向上させるのは無理である。
【発明の概要】
【発明が解決しようとする課題】
【０００５】
本発明は、リラクタンストルクを増加することでモーターの効率を向上させることによって、希土類永久磁石の使用量を低減できるモーター回転子及びそれを備えるモーターを提供することを目的とする。
【課題を解決するための手段】
【０００６】
第１の発明では、鉄心と、鉄心の内部に設けられた永久磁石とを含み、鉄心に、鉄心の周方向に沿って複数組の装着溝が設けられ、各組の装着溝は鉄心の径方向に不連続的に設けられた２つ又は２つ以上の装着溝を含み、永久磁石は複数組あり、各組の永久磁石の中の各永久磁石は各組の装着溝の各装着溝に対応して嵌め込まれるモーター回転子を提供する。
【０００７】
また、各組の装着溝は第１の装着溝と第２の装着溝とを含み、第１の装着溝と第２の装着溝に嵌め込まれる永久磁石はそれぞれ第１の永久磁石と第２の永久磁石であって、各組の永久磁石の中の各永久磁石の、永久磁石の対称線に沿う方向の厚みの和をＴとし、各永久磁石の、永久磁石の対称線に沿う方向の距離の和をｇとすると、
2014522225.tif 000004
である。
【０００８】
また、各組の装着溝は第１の装着溝と、第２の装着溝と、第３の装着溝と、を含み、第１の装着溝、第２の装着溝、及び第３の装着溝に嵌め込まれる永久磁石はそれぞれ第１の永久磁石、第２の永久磁石、及び第３の永久磁石で、各組の永久磁石の中の各永久磁石の、永久磁石の対称線に沿う方向の厚みの和をＴとし、各永久磁石の、永久磁石の対称線に沿う方向の距離の和をｇとすると、
2014522225.tif 000005
である。
【０００９】
また、各永久磁石の両端とそれが嵌め込まれる装着溝の両端との間に隙間が形成されている。
【００１０】
また、永久磁石の両端と装着溝の両端との間の隙間に非透磁媒体が充填されている。
【００１１】
また、永久磁石の、回転子の軸線に垂直な横断面の中央の厚みは両端の厚みと同じ或いは両端より大きい。
【００１２】
また、永久磁石の、回転子の軸線に垂直な横断面が矩形形状である。
【００１３】
また、装着溝の、回転子の軸線に垂直な断面がＵ字形形状である。
【００１４】
また、各組の永久磁石は、回転子の軸線に垂直な横断面がアーチ形の永久磁石を含む。
【００１５】
また、各組の永久磁石の中の各永久磁石の、回転子の径方向に沿って回転子の中心に接近する表面はアーチ形の表面である。
【００１６】
また、各組の永久磁石の中の各永久磁石はいずれも、横断面がアーチ形の永久磁石である。
【００１７】
また、各組の永久磁石のうち、回転子の径方向に沿って最も外側に位置する永久磁石の、回転子の中心から遠ざかる表面は平面で、回転子の中心に接近する表面はアーチ形の表面である。
【００１８】
また、各組の永久磁石において、各永久磁石のアーチ形の表面は全て回転子の中心に向かって突出する。
【００１９】
また、各組の永久磁石において、各永久磁石のアーチ形の表面のうち、回転子の中心へ接近するアーチ形の表面ほど、弧度が大きくなる。
【００２０】
本発明に係る一態様によると、上記のモーター回転子を備えるモーターが提供される。
【発明の効果】
【００２１】
本発明のモーター回転子及びそれを備えるモーターによれば、鉄心に鉄心の周方向に沿って複数組の装着溝が設けられ、各組の装着溝が鉄心の径方向に不連続的に設けられた２つ又は２つ以上の装着溝を含み、複数組の永久磁石の中の各永久磁石は各組の装着溝の各装着溝に対応して嵌め込まれる。ｄ軸に複数層の永久磁石が設けられ、且つ永久磁石自体のリラクタンスが大きく、空気の透磁率に相当するので、ｄ軸方向のインダクタンスＬｄは小さくなり、一方、ｑ軸方向において、鉄心自体が高い透磁率を有するので、ｑ軸のインダクタンスＬｑは大きくなり、それにより、モーター回転子のリラクタンストルクを増加して、モーターの効率を向上させ、希土類永久磁石の使用量を増加する方法を利用する必要がなくなり、希土の使用量を低減できる。
【図面の簡単な説明】
【００２２】
ここで説明する図面は本発明を理解させるためのもので、本発明の一部を構成し、本発明における実施例及びその説明は本発明を解釈するためのもので、本発明を不当に限定するものではない。
【図１】図１は、本発明に係るモーター回転子の第１の実施例の構造を示す図である。
【図２】図２は、本発明に係るモーター回転子の第２の実施例の構造を示す図である。
【図３】図３は、本発明に係るモーター回転子の第３の実施例の構造を示す図である。
【図４】図４は、本発明に係るモーター回転子の第１の実施例の永久磁石の厚み及び永久磁石間の間隔を示す図である。
【図５】図５は、本発明に係るモーター回転子の第２の実施例の永久磁石の厚み及び永久磁石間の間隔を示す図である。
【図６】図６は、本発明に係るモーター回転子の第１の実施例のｄ軸とｑ軸のインダクタンス差と永久磁石厚み及び永久磁石の間隔との関係を示す図である。
【図７】図７は、本発明に係るモーター回転子の第２の実施例のｄ軸とｑ軸のインダクタンス差と永久磁石厚み及び永久磁石の間隔との関係を示す図である。
【図８】図８は、本発明に係る第１の実施例の磁束分布を示す効果図である。
【発明を実施するための形態】
【００２３】
以下、図面を参照しつつ実施例に関して本発明を詳しく説明する。
図１に示す本発明に係るモーター回転子の第１の実施例のように、モーター回転子は、鉄心１０と、鉄心１０の内部に設けられた永久磁石２０と、を含み、鉄心１０には、鉄心１０の周方向に沿って複数組の装着溝３０が設けられ、各組の装着溝３０は鉄心１０の径方向に不連続的に設けられた２つ又は２つ以上の装着溝３０を含み、永久磁石２０は複数組あり、各組の永久磁石２０の中の各永久磁石２０が各組の装着溝３０の各装着溝３０に対応して嵌め込まれる。
【００２４】
図１中のモーター回転子の鉄心１０は、けい素鋼板を積層してなり、一定の積層高さを有し、鉄心１０の軸心を円心としてその円周方向に沿って均一に６組の装着溝３０が分布され、各組の装着溝３０はさらに２層のアーチ形の装着溝３０を含む。モーター回転子のｄ軸とｑ軸において、図示したように、装着溝３０はｄ軸方向に沿って順に収斂されて小さくなる。装着溝３０に永久磁石２０を設ける場合、同組の永久磁石２０がモーター回転子の外周方向に向けて同一の極性を有しなければならず、例えば、図１に示すように、ｄ軸方向に２層の永久磁石が全てＳ極をなし、同時に、隣り合う二組の永久磁石２０の磁性が逆になり、６組の永久磁石２０は外へ向けて円周方向に沿ってＮＳ極の順で交互に分布されている。ｄ軸方向に複数層の永久磁石２０が設けられ、且つ永久磁石２０自体のリラクタンスが大きく、空気の透磁率に相当するので、ｄ軸方向のインダクタンスＬｄは小さくなり、一方、ｑ軸方向は鉄心１０自体が高い透磁率を有するので、ｑ軸方向のインダクタンスＬｑが大きくなり、これにより、モーター回転子のリラクタンストルクを増加させることで、モーターの出力トルクを増加させ、さらにモーターの効率を向上させる。このような方法でモーターの効率を向上させるため、希土類永久磁石を追加してモーターの効率を向上させる方法の替わりに用いられることができ、希土の使用量を低減し、エネルギーを節約できる一方、環境負担を低減でき、また、コストを引き下げ、製品の競争力を高めることが可能となる。
【００２５】
本実施例において、図１に示すように、各永久磁石２０の両端とそれが嵌め込まれる装着溝３０の両端との間に隙間が形成されている。永久磁石２０の両端と装着溝３０の両端との間の隙間に非透磁媒体を充填することが好ましい。
【００２６】
図１に示すように、各組の永久磁石２０は、回転子の軸線に垂直な横断面がアーチ形である永久磁石２０を含み、各組の永久磁石２０の中の各永久磁石２０は、回転子の径方向に沿って回転子の中心に接近する表面がアーチ形の表面である。本実施例において、各組の永久磁石２０の中の各永久磁石２０はいずれも断面がアーチ形の永久磁石で、つまり、永久磁石２０は厚みが同一のアーチ形である。アーチ形の永久磁石２０は装着溝３０より僅かに短く、永久磁石２０を装着溝３０に挿入した後、永久磁石２０の両端部にいずれも隙間が形成され、その中に空気又はその他の非透磁性媒体を充填することができる。
【００２７】
図４に示すように、モーター回転子の第１の実施例において、各組の装着溝３０は、回転子の中心から遠ざかる第１の装着溝と、回転子の中心に接近する第２の装着溝と、を含み、第１の装着溝と第２の装着溝に嵌め込まれる永久磁石２０はそれぞれ、第１の永久磁石と第２の永久磁石であって、各組の永久磁石２０中の各永久磁石２０の、永久磁石２０の対称線に沿う方向の厚みの和をＴとし、各永久磁石２０の、永久磁石２０の対称線に沿う方向の距離の和をｇとすると、
2014522225.tif 000006
である。図８に示すように、その値が上記式を満たす場合、隣り合う２層の磁性鋼通路間の磁束分布が密集し、ｑ軸磁気通路を有効に利用し、モーターのトルク出力を増加することができる。
【００２８】
具体的に、回転子の軸方向の横断面において、第１の永久磁石と第２の永久磁石の最長辺をそれぞれ第１の最長辺と第２の最長辺とし、第１の最長辺の幾何学的中心から第１の最長辺上の任意の一点までの接続線と、第１の最長辺とその対向辺の交差点との間の距離を第１の永久磁石の厚みとし、第２の最長辺の幾何学的中心から第２の最長辺上の任意の一点までの接続線と、第２の最長辺とその対向辺の交差点との間の距離を第２の永久磁石の厚みとする。第１の永久磁石と第２の永久磁石の２つの対向辺の中の長辺の幾何学的中心から第１の永久磁石と第２の永久磁石の２つの対向辺の交差点までの距離を第１の永久磁石と第２の永久磁石との間の距離とする。第１の永久磁石と第２の永久磁石の最大厚みをそれぞれＴ１とＴ２とし、第１の永久磁石と第２の永久磁石との間の最大距離をｇ１とする。
【００２９】
本実施例において、各永久磁石２０の、永久磁石２０の対称線に沿う方向の厚みが永久磁石２０の最大厚みであるので、Ｔ＝Ｔ１+Ｔ２となる。本実施例において、各組に２つの永久磁石２０が含まれるため、第１の永久磁石と第２の永久磁石との間の最大距離ｇ１は、各永久磁石２０の、永久磁石２０の対称線に沿う方向の距離の和ｇと等しく、つまり、ｇ＝ｇ１である。
【００３０】
試験テストデータに基づいて、図６に示す第１の実施例のモーター回転子のｄ軸とｑ軸のインダクタンス差と永久磁石の厚み及び永久磁石の間隔との関係を得られる。ｇとＴの比が
2014522225.tif 000007
を満たす場合、大きいＬｄ-Ｌｑ値を得られ、これにより、モーターの出力トルクを増加させ、モーターの効率を向上させることができる。
また、
2014522225.tif 000008
であることが好ましい。
【００３１】
図２に示す本発明に係るモーター回転子の第２の実施例において、鉄心１０の軸心を円心とし、その円周方向に沿って４組の装着溝３０が均一に分布され、各組の装着溝３０はさらに、３層のアーチ形の装着溝３０を含む。
【００３２】
各組の永久磁石２０のうち、回転子の径方向に沿って最も外側に位置する永久磁石２０の、回転子の中心から遠ざかる表面は平面で、回転子の中心に接近する表面はアーチ形の表面で、その他の各永久磁石２０の、回転子の中心から遠ざかる表面及び回転子の中心に接近する表面はいずれもアーチ形の表面である。各組の永久磁石２０において、各永久磁石２０のアーチ形の表面は全て回転子の中心に向かって突出する。各組の永久磁石２０において、各永久磁石のアーチ形の表面のうち、回転子の中心へ接近するアーチ形の表面ほど、弧度が大きくなる。したがって、本実施例において、永久磁石２０の、回転子の軸線に垂直な横断面の中央厚みがその両端の厚みより大きく、即ち、永久磁石２０はだんだん変化するアーチ形で、その中央の厚みが最も大きく、両端の厚みがだんだんと低減される。
【００３３】
図３に示す本発明に係るモーター回転子の第３の実施例において、鉄心１０の軸心を円心とし、その円周方向に沿って８組の装着溝３０が均一に分布されており、各組の装着溝３０はさらに、２層の矩形の装着溝３０を含む。
【００３４】
永久磁石２０は、回転子の軸線に垂直な横断面の形状が矩形で、回転子の軸線に垂直な横断面の中央の厚みがその両端の厚みと同じである。装着溝３０は、回転子の軸線に垂直な断面の形状がＵ字形状である。回転子の中心に接近する永久磁石２０とそれが位置する装着溝３０との間の隙間は、回転子の中心から遠ざかる永久磁石２０とそれが位置する装着溝３０との間の隙間より大きい。
【００３５】
アーチ形の永久磁石が成型時に材料の影響を大きく受け、成型工程の後半は精密加工を行う工程が多いが、矩形の永久磁石の成型及び加工工程は比較的に簡単であるので、矩形の永久磁石を用いると、生産率を向上させるとともに、通用性が強くなり、回転子の第１層の永久磁石と第２層の永久磁石とが互いに通用できる。したがって、方形の永久磁石を用いると、コストを低減できる。同時に、当該Ｕ形構造では、磁性鋼の両端に隙間が形成されたので、サイズの異なる方形の永久磁石を簡単に当該隙間に挿入でき、モーターの性能を調節する作用を果たすと共に、新しい回転子溝型を変更する必要がなく、回転子の構造の通用化を実現できる。
【００３６】
図５に示すように、モーター回転子の第２の実施例において、各組の装着溝３０は、回転子の中心から遠ざかる位置から回転子の中心に接近する位置へ順に設けた第１の装着溝と、第２の装着溝と、第３の装着溝と、を含み、第１の装着溝、第２の装着溝、第３の装着溝に嵌め込まれる永久磁石２０はそれぞれ第１の永久磁石、第２の永久磁石、第３の永久磁石であって、各組の永久磁石２０の中の各永久磁石２０の、永久磁石２０の対称線に沿う方向の厚みの和をＴとし、各永久磁石の、永久磁石２０の対称線に沿う方向の距離の和をｇとすると、
2014522225.tif 000009
である。
【００３７】
具体的に、回転子の横断面に沿う径方向において、第１の永久磁石、第２の永久磁石、第３の永久磁石の最長辺をそれぞれ、第１の最長辺、第２の最長辺、第３の最長辺とし、第１の最長辺の幾何学的中心から第１の最長辺上の任意の一点までの接続線と、第１の最長辺とその対向辺の交差点との間の距離を第１の永久磁石の厚みとし、第２の最長辺の幾何学的中心から第２の最長辺上の任意の一点までの接続線と、第２の最長辺とその対向辺の交差点との間の距離を第２の永久磁石の厚みとし、第３の最長辺の幾何学的中心から第３の最長辺上の任意の一点までの接続線と、第３の最長辺とその対向辺の交差点との間の距離を第３の永久磁石の厚みとする。第１の永久磁石と第２の永久磁石との２つの対向辺の中の長辺の幾何学的中心から第１の永久磁石と第２の永久磁石との２つの対向辺の交差点までの距離を第１の永久磁石と第２の永久磁石との間の距離とし、第２の永久磁石と第３の永久磁石との二つの対向辺の中の長辺の幾何学的中心から第２の永久磁石と第３の永久磁石との二つの対向辺の交差点までの距離を第２の永久磁石と第３の永久磁石との間の距離とする。
【００３８】
第１の永久磁石、第２の永久磁石、第３の永久磁石の最大厚みをそれぞれＴ１、Ｔ２、Ｔ３とし、第１の永久磁石と第２の永久磁石との間の最大距離をｇ１、第２の永久磁石と第３の永久磁石との間の最大距離をｇ２とする。図５に示すように、本実施例において、各永久磁石２０の、永久磁石２０の対称線に沿う方向の厚みは各永久磁石２０の最大厚みで、即ち、各組の装着溝３０における各永久磁石２０の最大厚みの和はＴ＝Ｔ１+Ｔ２+Ｔ３であり、各永久磁石２０の、永久磁石２０の対称線に沿う方向の距離は各永久磁石２０間の最大距離で、即ち、ｇ＝ｇ１+ｇ２である。
【００３９】
図７は、第２の実施例のモーター回転子のｄ軸とｑ軸のインダクタンス差と永久磁石厚み及び永久磁石の間隔との関係を示す図であり、ｇとＴの比が
2014522225.tif 000010
を満たす場合、大きいＬｄ-Ｌｑ値を得られ、これにより、モーターの出力トルクを増加させ、モーターの効率を向上させることができる。
【００４０】
本発明は、さらに上述のモーター回転子を備えるモーターを提供する。
本発明のモーターによれば、永久磁石の厚みとその間隔との関係を限定することでリラクタンストルクを最大限に利用でき、モーターの効率も高められる。本発明のモーターを、エアコンの圧縮機、電気自動車及び送風機システムに適用できることは言うまでもない。
【００４１】
上述のように、本発明の上述の実施例によれば、以下の技術的効果を実現できる。
本発明のモーター回転子及びそれを備えるモーターによれば、モーター回転子のリラクタンストルクを高めることで、モーターの出力トルクを高め、それによりモーターの効率を向上させることができる。このような方法でモーターの効率を向上させるため、希土類永久磁石を追加してモーターの効率を向上させる方法の替わりに用いられることができ、希土の使用量を低減し、エネルギーを節約できると共に、環境負担を低減でき、また、コストを引き下げ、製品の競争力を高めることが可能となる。
【００４２】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【図１】
2014522225.tif 000013
【図２】
2014522225.tif 000014
【図３】
2014522225.tif 000015
【図４】
2014522225.tif 000016
【図５】
2014522225.tif 000017
【図６】
2014522225.tif 000018
【図７】
2014522225.tif 000019
【図８】
2014522225.tif 000020
【手続補正書】
【提出日】平成26年4月11日(2014.4.11)
【手続補正１】
【補正対象書類名】図面
【補正対象項目名】全図
【補正方法】変更
【補正の内容】
【図１】
2014522225.tif 000021
【図２】
2014522225.tif 000022
【図３】
2014522225.tif 000023
【図４】
2014522225.tif 000024
【図５】
2014522225.tif 000025
【図６】
2014522225.tif 000026
【図７】
2014522225.tif 000027
【図８】
2014522225.tif 000028
【国際調査報告】
2014522225.tif 000029
2014522225.tif 000030
2014522225.tif 000031
2014522225.tif 000032
2014522225.tif 000033
2014522225.tif 000034
2014522225.tif 000035
2014522225.tif 000036